(57)【要約】【課題】通常のベッドとして使用される機能・作用を損なうことなく、ベッドからの滑落を防止することができるとともに、容易に脱着でき、洗濯や交換などが可能なベッド巻帯を提供する。【解決手段】本発明に係るベッド巻帯は、ベッドの幅方向にわたるとともに、両端縁がそのベッドの裏面に差し込まれる帯本体部と、前記両端縁に縫合される係止編部と、前記帯本体部に挿通され、前記ベッドの床面側部から中央方向に延在するように配設される腹巻状の滑止編部と、その滑止編部のベッドの中央側の端縁が差し込まれるポケットと、を有し、前記滑止編部と係止編部は、ポリエステルナノファイバーからなる糸を含む編地からなるものである。【選択図】図１
2019033999.tif 000002
【特許請求の範囲】
【請求項１】
ベッドの幅方向にわたるとともに、両端縁がそのベッドの裏面に差し込まれる帯本体部と、前記両端縁に縫合される係止編部と、前記帯本体部に挿通され、前記ベッドの床面側部から中央方向に延在するように配設される腹巻状の滑止編部と、その滑止編部のベッドの中央側の端縁が差し込まれるポケットと、を有し、
前記滑止編部と係止編部は、ポリエステルナノファイバーからなる糸を含む編地から
なるベッド巻帯。
【請求項２】
ポケットは、帯紙様であってベッドの中央側の端縁が帯本体部に縫合され、袋状に形成されてなることを特徴とする請求項１に記載のベッド巻帯。
【請求項３】
ポケットは、細片が帯本体部を交差してその両側から張り出し、ベッドの中央側の端縁部分が前記帯本体部に縫合され、滑止編部の端縁が差し込まれるように前記両端の張出部分が折り込まれ袋状に形成されてなることを特徴とする請求項１に記載のベッド巻帯。
【請求項４】
ベッドの幅方向に配設される帯紙様の帯本体部と、ポリエステルナノファイバーからなる糸を含む腹巻状の編地からなり、前記帯本体部にベッド床面側部から延在するように装着される滑止編部と、を有し、
前記滑止編部は、長さが20〜40cm、幅が20〜40cmであるベッド巻帯。
【請求項５】
請求項１〜４に記載のベッド巻帯の帯本体部に装着又は挿通されて使用される、ポリエステルナノファイバーからなる糸を含む腹巻状の編地部材。
【請求項６】
ベッド用シーツにポリエステルナノファイバーからなる糸を含む腹巻状の編地部材を縫合してなる滑止め付きシーツ。
【発明の詳細な説明】
【技術分野】
【０００１】
本発明は、ベッドの幅方向に掛け渡され、ベッド乗降時のベッド床面側部からの滑落を防止するベッド巻帯に関する。
【背景技術】
【０００２】
介護又は老人を対象にした施設において、ベッドからの滑落はこれらの施設における事故例の１つとして注目されている。かかる滑落事故は、介護者が不在の際に発生することが多く、骨折など重大な事故につながるために対策が求められており、一般には拘束や監視の強化、介護者への注意喚起による対策がなされている。しかしながら、ベッドからの滑落を防止する滑落防止手段がわずかであるが提案されている。
【０００３】
例えば、特許文献１に、混合無機パウダーを20W%以上含まない成型用シリコーンゴムをシート状に成型し又はシート状物に積層して成る介護用滑り止めマットが提案されている。この介護用滑り止めマットは、押圧状態で著しい粘着性を示し、高齢者、身体障害者、幼児等の滑りに伴う事故を防止することができ、また、車椅子の座面上を覆うマットとして使用するときは、車椅子に乗った人がほとんど移動できないほどで滑落をすることがないとされる。
【０００４】
特許文献２に、アクリル繊維にて構成され表面にパイルを有する比容積5〜10cm3/gのパイルニットの編目裏面にポリウレタン樹脂フィルムがラミネートされてなり、2000mm以上の耐水圧、600g/m2/24hr以上の透湿度を有する介護用シーツが提案されている。この介護用シーツは、表面のみならずシーツ全体の柔軟性、通気性、透湿性、防水性を有し、敷き布団やベットに敷いたときに、敷き布団やベットからの滑脱がなく皺になり難く、床擦れを防ぎ、耐洗濯性があるとされる。
【先行技術文献】
【特許文献】
【０００５】
【特許文献１】特開2003-164498号公報
【特許文献２】特開平10-323372号公報
【発明の概要】
【発明が解決しようとする課題】
【０００６】
ベッドからの滑落を防止するには、特許文献１に記載するように、ベッドの滑りやすい部分に乗った人をその部分に密着させ、滑り方向にはとんど動けないようにするのが望ましい。しかしながら、ベッドが、特許文献１に記載する滑り止めマットのようなものであるときは、寝返りなどが困難になり寝心地が悪くなるなどの不都合を生じるので好ましくない。特許文献２に記載の介護用シーツは、ベッドからの滑脱がないとされるが、ベッドからの滑落を防止するという観点からは十分ではない。この介護用シーツが、特許文献１に記載の滑り止めマットのような滑り止め性を有すると、寝心地が悪くなるなどの不都合を生ずるからである。すなわち、通常の寝具として使用される機能・作用を損なうことなく、ベッドからの滑落を防止する手段が求められている。
【０００７】
本発明は、このような社会的な問題点に鑑み、通常の寝具として使用される機能・作用を損なうことなく、ベッドからの滑落を防止することができるとともに、容易に脱着でき、洗濯や交換などが可能なベッド巻帯を提供することを目的とする。
【課題を解決するための手段】
【０００８】
本発明に係るベッド巻帯は、ベッドの幅方向にわたるとともに、両端縁がそのベッドの裏面に差し込まれる帯本体部と、前記両端縁に縫合される係止編部と、前記帯本体部に挿通され、前記ベッドの床面側部から中央方向に延在するように配設される腹巻状の滑止編部と、その滑止編部のベッドの中央側の端縁が差し込まれるポケットと、を有し、前記滑止編部と係止編部は、ポリエステルナノファイバーからなる糸を含む編地からなるものである。
【０００９】
上記発明において、ポケットは、帯紙様であってベッドの中央側の端縁が帯本体部に縫合され、袋状に形成されてなるものとすることができる。また、ポケットは、細片が帯本体部を交差してその両側から張り出し、ベッドの中央側の端縁部分が前記帯本体部に縫合され、滑止編部の端縁が差し込まれるように前記両端の張出部分が折り込まれ袋状に形成されてなるものとすることができる。
【００１０】
また、本発明に係るベッド巻帯は、ベッドの幅方向に配設される帯紙様の帯本体部と、ポリエステルナノファイバーからなる糸を含む腹巻状の編地からなり、前記帯本体部にベッド床面側部から延在するように装着される滑止編部と、を有し、前記滑止編部は、長さが20〜40cm、幅が20〜40cmであるものとすることができる。
【００１１】
上記発明にかかるベッド巻帯において、その帯本体部に装着又は挿通されて使用される、ポリエステルナノファイバーからなる糸を含む腹巻状の編地部材は、これを予め準備しておくと好ましい。また、この編地部材を用いると、ベッド用シーツに編地部材を縫合した滑止め付きシーツを作製することができる。
【００１２】
また、
【発明の効果】
【００１３】
本発明に係るベッド巻帯は、通常の又は介護者用のベッドに容易に脱着でき、寝具として使用される機能・作用を損なうことなく、使用者のベッドからの滑落を防止することができる。また、本ベッド巻帯は、洗濯や交換などが可能である。
【図面の簡単な説明】
【００１４】
【図１】本発明に係るベッド巻帯の模式図である。図１（ａ）はベッド巻帯の構成を示し、図１（ｂ）は滑止編部の端縁がポケットに差し込まれた状態を示す断面図である。
【図２】図１に示すベッド巻帯をベッドに装着した様子を示す説明図である。
【図３】ベッド巻帯が実際に使用される状態を示す説明図である。
【発明を実施するための形態】
【００１５】
以下、本発明を実施するための形態について図面を基に説明する。図１は、本発明に係るベッド巻帯の構成を示す。図２は本ベッド巻帯をベッドに装着した様子を示す。本ベッド巻帯10は、図２に示すように、ベッド20の幅方向に巻き付けて使用される。このベッド巻帯10は、図１に示すように、ベッド20の幅方向にわたるとともに、両端縁がそのベッド20の裏面に差し込まれる帯本体部11と、前記両端縁に縫合される係止編部13、14と、帯本体部11に挿通され、ベッド20の床面側部から中央方向に延在するように配設される腹巻状の滑止編部15と、その滑止編部15のベッドの中央側の端縁が差し込まれるポケット12と、を有している。そして、滑止編部15と係止編部13、14は、ポリエステルナノファイバーからなる糸を含む編地からなるものである。ベッド巻帯10は、係止編部13、14がベッド20とベッド枠30の間に挟まれることによりベッド20に固着される。
【００１６】
帯本体部11は、ベッド20に一般に使用されるシーツと同様の材質のものを使用することができる。また、コース方向が低伸縮の編地のものを使用することができ、かかるものはしわ、捲れなどが生じ難いので好ましい。この帯本体部11の両端部に縫合される係止編部13、14と、帯本体部11に挿通される滑止編部15は、同材質の編地からなり、ポリエステルナノファイバーからなる糸を含む編地からなるものである。このポリエステルナノファイバーは、これを形成するポリマーが、ポリエチレンテレフタレート、ポリトリメチレンテレフタレート、ポリブチレンテレフタレート、ポリ乳酸、第３成分を共重合させたポリエステルなどからなり、単繊維径（単繊維の直径）が200〜2,000nm、より好ましくは250〜800nmであるものがよい。このポリエステルナノファイバーからなる糸は、上記ポリエステルナノファイバーのフィラメント数が2,000〜60,000本、総繊度（単繊維繊度とフィラメント数との積）が35〜500dtexであるものがよい。かかる糸から編成された編地はグリップ力が高く、吸湿性が高い。
【００１７】
滑止編部15は、腹巻状をしており、帯本体部11が挿通する幅を有しており、その帯本体部11の長手方向の長さは20〜40cmがよい。また、滑止編部15の幅は20〜40cmがよい。滑止編部15の長さ及び幅は、ベッド20のサイズ、使用形態などに合わせて決められる。滑止編部15は、腹巻状をして帯本体部11に挿通されているので、滑止編部15の表面側はベッド20の使用者がこれに当接して乗降するときにその使用者を捕捉し、滑止編部15の裏面側はベッド20に固着される。このため、その使用者はベッド20から滑落することなく安全に乗降することができる。
【００１８】
係止編部13、14は、平板状のものとすることができる。しかしながら、滑止編部15と同様に腹巻状にして帯本体部11に縫合されるようにしたものが好ましい。この場合は、係止編部13、14により、ベッド巻帯10とベッド20、ベッド巻帯10とベッド枠30との滑りを阻止することができるので、ベッド巻帯10を固着状態に保持することができる。
【００１９】
上記ベッド巻帯10は、図３に示すように使用される。滑止編部15は、ベッド20の床面側部から中央方向に設けられている。ベッド20の使用者50は、乗降するときに、ベッド枠30やベッド20に手を支えつつ、臀部から膝部分を滑止編部15に当接させながら乗降する。これにより、使用者50の身体は確実に滑止編部15に捕捉され、使用者50のベッド20からの滑落を防止することができる。
【００２０】
かかる使用においては、滑止編部15の外縁部、特にベッド20の中央側と前方側（使用者50の頭側）の端縁に、使用者50の動きによりずれ又は剥離させる力が作用する。また、使用者50に滑止編部15の厚さ（特に、端縁に生ずる段差部）に基づく違和感を与えることがある。このため、ベッド巻帯10にポケット12が設けられている。従って、ポケット12は滑止編部15のベッド20の中央側の端縁が差し込まれるようなものであればよく、ポケット12は帯紙様のものにすることができる。すなわち、ポケット12は、帯紙様のもののベッド20中央側の端縁が帯本体部11に縫合され、袋状に形成されてなるものとすることができる。
【００２１】
また、ポケット12は、図１に示すように、細片が帯本体部11を交差してその両側から張り出したようなものであってもよい。この場合、細片のベッド20中央側の端縁部分が帯本体部11に縫合（12a）されており（図１（ａ））、前記両端の張出部分は12b部分より折り込まれて使用されるので（図１（ｂ））、その形成された袋状部分に滑止編部15の端縁が差し込まれるようになっている。
【００２２】
以上、ベッド巻帯10について説明した。本ベッド巻帯10は、使用者50のベッド20からの滑落を阻止し、乗降を安全に行うことができる。また、ベッド巻帯10のベッド20への着脱、滑止編部15の交換、ベッド巻帯10の洗濯など容易に行うことができる。しかしながら、本発明に係るベッド巻帯は、使用者のベッドからの滑落を阻止し、乗降を安全に行うというその本来の目的が発揮される限り、以下に説明する形態のものにすることができる。
【００２３】
係止編部は、ベッド巻帯をベッドに確実に固定することができるものであればよく、上記のベッド巻帯10に限定されない。例えば、図１を一見すると、ベッド20（帯本体部11）に帯本体部11（ポケット12）が装着され、帯本体部11が帯紙のように観察される。すなわち、ベッド巻帯は、係止編部13、14のない帯本体部とすることができ、帯本体部の両端をベッド20の裏面又は側面で結び合わせる構成のものにすることができる。また、ベッドやベッド枠が帯本体部を固着することができる構造のものにおいては、帯本体部の両端をそれぞれベッドとベッド枠の間に差し挟む構成、または、帯本体部の両端部をベッドやベッド枠に固着させる構成のベッド巻帯とすることができる。
【００２４】
また、帯本体部に挿通した滑止編部がずれないように装着できるとともに、滑止編部の端縁に生ずる段差部が使用者に不快感を与えないように装着できる場合には、ポケット12のないベッド巻帯とすることができる。この場合の滑止編部は、例えば、クリップにより帯本体部に対してずれないように装着する必要がある。
【００２５】
また、滑止編部15は、容易に交換又は更新できるのが好ましい。このため、滑止編部15の予備品としての編地部材を予め準備しておくのがよい。この編地部材は、必要に応じてそのサイズが異なるものが入手できるようになっているのが好ましい。また、かかる編地部材を用いることにより、これをベッド用シーツに縫合した滑止め付きシーツを作製することができる。この場合、フラットタイプのシーツよりボックスタイプのシーツが好ましく、材質はコース方向が低伸縮の編地のものが好ましい。
【符号の説明】
【００２６】
10    ベット巻帯
11    帯本体部
12    ポケット
13、14    係止編部
15    滑止編部
20    ベッド
30    ベッド枠
50    使用者
【図１】
2019033999.tif 000003
【図２】
2019033999.tif 000004
【図３】
2019033999.tif 000005